(57)【要約】【課題】手順書を作成した作成者により、特定の手順に対して登録されたファイルが存在することを、動画視聴者に知らせること。【解決手段】表示制御装置１００は、複数の画像を指定された順序で表示することで、製品の組み立てに関わる、複数の手順の流れを示す動画を再生する。表示制御装置１００は、複数の画像のうちのある画像に対応する手順について、添付ファイルが対応付けられている場合には、ある画像の表示中に、添付ファイルが存在することを通知するための表示を行う。【選択図】図４
2019204398.tif 000002
【特許請求の範囲】
【請求項１】
複数の画像を指定された順序で表示することで、製品の組み立てに関わる、複数の手順の流れを示す動画を再生し、
複数の画像のうちのある画像に対応する手順について、添付ファイルが対応付けられている場合には、ある画像の表示中に、添付ファイルが存在することを通知するための表示を行う
処理をコンピュータに実行させることを特徴とする表示プログラム。
【請求項２】
前記画像は、製品を構成する各部品に対応付けられ、前記再生する処理は、製品の組立の順序に応じて、各部品に対応付けられた複数の画像を順に再生することを特徴とする請求項１に記載の表示プログラム。
【請求項３】
前記製品を構成する各部品には、組立に関わる作業指示の情報が付与され、前記再生する処理は、前記画像を再生する場合に、前記作業指示を合わせて表示することを特徴とする請求項１または２に記載の表示プログラム。
【請求項４】
前記表示を行う処理は、画像の表示画面を強調表示することで、前記添付ファイルの存在を通知することを特徴とする請求項１、２または３に記載の表示プログラム。
【請求項５】
前記添付ファイルは更新日時の情報を有し、前記表示を行う処理は、前記更新日時と現在日時とを基にして、前記強調表示のレベルを調整することを特徴とする請求項４に記載の表示プログラム。
【請求項６】
前記表示を行う処理は、前記製品の組み立てを行うユーザの特徴を基にして、前記強調表示のレベルを調整することを特徴とする請求項４に記載の表示プログラム。
【請求項７】
前記製品を構成する部品は、配下の複数の子部品に対応付けられ、前記再生する処理は、組立順序に応じて、各子部品に対応付けられた複数の画像を順に再生することを特徴とする請求項２〜６のいずれか一つに記載の表示プログラム。
【請求項８】
コンピュータが実行する表示方法であって、
複数の画像を指定された順序で表示することで、製品の組み立てに関わる、複数の手順の流れを示す動画を再生し、
複数の画像のうちのある画像に対応する手順について、添付ファイルが対応付けられている場合には、ある画像の表示中に、添付ファイルが存在することを通知するための表示を行う
処理をコンピュータに実行させることを特徴とする表示方法。
【請求項９】
複数の画像を指定された順序で表示することで、製品の組み立てに関わる、複数の手順の流れを示す動画を生成する再生部と、
複数の画像のうちのある画像に対応する手順について、添付ファイルが対応付けられている場合には、ある画像の表示中に、添付ファイルが存在することを通知するための表示を行う表示制御部と
を有することを特徴とする表示制御装置。
【発明の詳細な説明】
【技術分野】
【０００１】
本発明は、表示プログラム等に関する。
【背景技術】
【０００２】
製品の製造工場の組立作業者は、組み立て手順書に記載された組み立て手順にしたがって、複数の部品を組み合わせることで、製品を製造している。また、部品の組み立て手順をより理解しやすいように、組み立て手順の動画を生成し、組立作業員に組み立て手順を説明する従来技術も存在する。この従来技術では、動画の再生中に特定のタイミングで、注意事項等の特定の情報を表示している。
【先行技術文献】
【特許文献】
【０００３】
【特許文献１】特開平４−１０１７３７号公報
【発明の概要】
【発明が解決しようとする課題】
【０００４】
しかしながら、上述した従来技術では、手順書を作成した作成者により、特定の手順に対して登録されたファイルが存在することを、動画視聴者に知らせることができないという問題がある。
【０００５】
１つの側面では、本発明は、手順書を作成した作成者により、特定の手順に対して登録されたファイルが存在することを、動画視聴者に知らせることができる表示プログラム、表示方法および表示制御装置を提供することを目的とする。
【課題を解決するための手段】
【０００６】
第１の案では、表示プログラムは、コンピュータに次の処理を実行させる。コンピュータは、複数の画像を指定された順序で表示することで、製品の組み立てに関わる、複数の手順の流れを示す動画を再生する。コンピュータは、複数の画像のうちのある画像に対応する手順について、添付ファイルが対応付けられている場合には、ある画像の表示中に、添付ファイルが存在することを通知するための表示を行う。
【発明の効果】
【０００７】
手順書を作成した作成者により、特定の手順に対して登録されたファイルが存在することを、動画視聴者に知らせることができる。
【図面の簡単な説明】
【０００８】
【図１】図１は、本実施例に係る表示制御装置の処理を説明するための図である。
【図２】図２は、添付ファイルが存在することを通知するための表示画面の一例を示す図である。
【図３】図３は、本実施例に係るシステムの一例を示す図である。
【図４】図４は、本実施例に係る表示制御装置の構成を示す機能ブロック図である。
【図５】図５は、部品とアセンブリとを説明するための図である。
【図６】図６は、部品データのデータ構造の一例を示す図である。
【図７】図７は、アセンブリデータのデータ構造の一例を示す図である。
【図８】図８は、構成モデル情報のデータ構造の一例を示す図（１）である。
【図９】図９は、構成モデル情報のデータ構造の一例を示す図（２）である。
【図１０】図１０は、作業フローデータのデータ構造の一例を示す図である。
【図１１】図１１は、画像テーブルのデータ構造の一例を示す図である。
【図１２】図１２は、添付ファイルテーブルのデータ構造の一例を示す図である。
【図１３】図１３は、本実施例に係る表示制御装置の処理手順を示すフローチャートである。
【図１４】図１４は、その他の作業フローデータのデータ構造の一例を示す図である。
【図１５】図１５は、情報処理装置と同様の機能を実現するコンピュータのハードウェア構成の一例を示す図である。
【発明を実施するための形態】
【０００９】
以下に、本願の開示する表示プログラム、表示方法および表示制御装置の実施例を図面に基づいて詳細に説明する。なお、この実施例によりこの発明が限定されるものではない。
【実施例】
【００１０】
本実施例に係る表示制御装置は、製品の部品を組み立てる順序を複数の画像または動画で説明した「作業フローデータ」を再生する。たとえば、この作業フローデータは、部品の組み立てを工場の組立作業員に依頼する生産準備部門の管理者等により、生成される情報である。
【００１１】
図１は、本実施例に係る表示制御装置の処理を説明するための図である。たとえば、表示制御装置は、作業フローデータに設定された、製品の組み立ての順序Ｓ１〜Ｓ１１に従って、画像Ｇ０１〜Ｇ１１を順に表示する。組立作業者は、順序Ｓ１〜Ｓ１１に従って表示される画像Ｇ０１〜Ｇ１１を参照して、部品を組み立てる。
【００１２】
ここで、管理者は、部品のある組み立ての段階において、画像とは別に、組み立て時の注意事項や、部品の注意書きを組立作業員に参照してもらいたい場合には、順序と対応付けて、添付ファイルを添付する。たとえば、管理者が、順序Ｓ２において、添付ファイルを添付した場合には、表示制御装置は、順序Ｓ２において画像Ｇ０２を表示する際に、添付ファイルが存在することを通知するための表示を行う。
【００１３】
図２は、添付ファイルが存在することを通知するための表示画面の一例を示す図である。図２に示すように、表示制御装置は、順序Ｓ２において、添付ファイルが存在することを検出すると、添付ファイルが存在することを示すアイコン１０を表示させる。表示制御装置は、画像Ｇ０２全体を点滅させる強調表示、画像Ｇ０２の枠を点滅させる強調表示、アイコン１０を点滅させる強調表示等を行って、添付ファイルの存在を通知してもよい。表示制御装置は、組立作業員によるアイコン１０の選択を受け付けると、添付ファイルの情報を表示させる。
【００１４】
また、作業フローデータには、順序に作業指示の情報（テキスト）が添付される場合がある。表示制御装置は、順序に作業指示の情報が添付されている場合には、画像に対応付けて、作業指示の情報を表示させる。図２に示す例では、表示制御装置は、作業指示（取り扱い注意）１１を、画像Ｇ０２に表示している。
【００１５】
組立作業員は、表示制御装置により再生される作業フローデータを参照することで、組立の順序を把握する際に、組立の順序だけではなく、別途確認すべき添付ファイルの存在に気付くことができる。また、添付ファイルは、作業フローデータの順序と対応付けられているため、組立作業員は、組立のどの段階において、添付ファイルの内容に従うのかを、動画視聴中に確認することもできる。
【００１６】
次に、本実施例に係るシステムの構成について説明する。図３は、本実施例に係るシステムの一例を示す図である。図３に示すように、このシステムは、ＣＡＤ装置５０ａと、管理者端末５０ｂと、表示制御装置１００とを有する。ＣＡＤ装置５０ａは、ＣＡＤ（Computer  Aided  Design）データを作成するための装置である。製品の設計者は、ＣＡＤ装置５０ａを操作して、ＣＡＤデータを生成する。ＣＡＤ装置５０ａで作成されたＣＡＤデータは、管理者端末５０ｂに送信される。
【００１７】
管理者端末５０ｂは、生産準備部門の管理者等が利用する端末装置である。管理者は、管理者端末５０ｂを操作して、ＣＡＤ装置５０ａから送信されるＣＡＤデータを参照し、作業フローデータを生成する。管理者端末５０ｂで生成された作業フローデータは、表示制御装置１００に送信される。管理者端末５０ｂは、ＣＡＤデータを、表示制御装置１００に送信してもよい。
【００１８】
表示制御装置１００は、作業フローデータを再生して、製品の部品を組み立てる順序を表示する装置である。表示制御装置１００は、作業フローデータの各画像を再生している最中に、ある順序で、添付ファイルが添付されていることを検出すると、添付ファイルが存在することを通知するための表示を行う。
【００１９】
図４は、本実施例に係る表示制御装置の構成を示す機能ブロック図である。図４に示すように、表示制御装置１００は、通信部１１０と、入力部１２０と、表示部１３０と、記憶部１４０と、制御部１５０とを有する。
【００２０】
通信部１１０は、ネットワークを介して管理者端末５０ｂ等とデータ通信を実行する処理部である。通信部１１０は、通信装置の一例である。後述する制御部１５０は、通信部１１０を介して、管理者端末５０ｂ等とデータをやり取りする。
【００２１】
たとえば、通信部１１０は、管理者端末５０ｂから、ＣＡＤデータ１４０ａおよび作業フローデータ１４０ｄを受信した場合には、受信したＣＡＤデータ１４０ａ、作業フローデータ１４０ｄを、制御部１５０に出力する。
【００２２】
入力部１２０は、各種の情報を表示制御装置１００に入力するための入力装置である。入力部１２０は、キーボードやマウス、タッチパネル等に対応する。たとえば、組立作業員は、入力部１２０を操作して、作業フローデータの現在の順序の画像を、次の順序の画像に遷移させる命令を行う。また、組立作業員は、添付ファイルが存在することの通知を確認した場合には、入力部１２０を操作して、添付ファイルを選択する。
【００２３】
表示部１３０は、制御部１５０から出力される情報を表示する表示装置である。表示部１３０は、液晶ディスプレイやタッチパネル等に対応する。たとえば、表示部１３０は、作業フローデータに示される順序で、複数の画像の情報を表示する。また、制御部１５０の指示に応じて、画像の情報を強調表示する。
【００２４】
記憶部１４０は、ＣＡＤデータ１４０ａ、部品データ１４０ｂ、アセンブリデータ１４０ｃ、作業フローデータ１４０ｄ、画像テーブル１４０ｅ、添付ファイルテーブル１４０ｆを有する。記憶部１４０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００２５】
ＣＡＤデータ１４０ａは、ＣＡＤ装置５０ａにより作成されたデータであり、３次元ＣＡＤによる設計データである。ＣＡＤデータ１４０ａには、部品やアセンブリに関する各種の情報が含まれている。たとえば、ＣＡＤデータ１４０ａから、部品データ１４０ｂ、アセンブリデータ１４０ｃが抽出される。
【００２６】
ここで、「部品」と「アセンブリ」について説明する。製品は、部品およびアセンブリから構成される。アセンブリは、複数の部品で構成され、ある１つの機能を実現するための単位である。通常、製品を組み立てる場合には、アセンブリを構成する部品１つ１つも、１部品として数える。
【００２７】
図５は、部品とアセンブリとを説明するための図である。図５に示す部品２０は、ある製品（たとえば、マウス）に含まれる１部品である。また、部品２０は、部品２０ａ〜２０ｈから構成されるアセンブリである。
【００２８】
部品データ１４０ｂは、製品に含まれる各部品に関する情報を保持する。図６は、部品データのデータ構造の一例を示す図である。図６に示すように、部品データ１４０ｂは、部品ＩＤと、部品名称と、部品の原点座標と、部品のローカル座標系と、形状情報とを対応付ける。
【００２９】
部品ＩＤは、部品を一意に識別する情報である。部品名称は、部品の名称を示すものである。部品の原点座標は、３次元ＣＡＤ空間の座標において、部品に関する位置情報の原点として用いる座標を示す情報である。部品の原点座標は、部品ごとに異なってもよく、各部品で共通の原点を用いてもよい。
【００３０】
部品のローカル座標系は、部品ごとに、部品の原点座標を基準として、３次元ＣＡＤ空間での部品の位置を規定するために用いる座標系を示す情報である。部品のローカル座標系は、部品ごとに異なってもよく、各部品で共通の座標系を用いてもよい。形状情報は、部品ごとに、部品の原点座標を基準とした部品のローカル座標系で部品の形状を示した情報である。
【００３１】
アセンブリデータ１４０ｃは、製品に含まれる各アセンブリに関する情報を保持する。図７は、アセンブリデータのデータ構造の一例を示す図である。図７に示すように、アセンブリデータ１４０ｃは、アセンブリＩＤと、アセンブリ名と、登録部品数と、構成モデル情報とを対応付ける。
【００３２】
アセンブリＩＤは、アセンブリを一意に識別する情報である。アセンブリ名は、アセンブリの名称を示すものである。登録部品数は、アセンブリに含まれる部品の数を示す。構成モデル情報は、アセンブリの配下の子部品に関する情報を示す。アセンブリの配下の部品がアセンブリである場合には、構成モデル情報には、配下のアセンブリに関する情報が含まれる。
【００３３】
図８および図９は、構成モデル情報のデータ構造の一例を示す図である。図８および図９に示すように、構成モデル情報は、子要素ＩＤ、部品／アセンブリ名、親アセンブリ情報、配置情報を対応付ける。構成モデル情報には、配下の子部品の情報または配下のアセンブリの情報が格納される。
【００３４】
子要素ＩＤは、親部品の配下の子部品（またはアセンブリ）を一意に識別する情報である。部品／アセンブリ名は、親部品の配下の子部品（またはアセンブリ）の名称を示す。親アセンブリ情報は、親部品を一意に識別する情報である。
【００３５】
配置情報は、原点座標とローカル座標系とを示している。原点座標は、座標により表現される情報であり、子要素ＩＤにより識別される構成要素の原点が親アセンブリのどの位置に配置されているかを示す。ローカル座標系は、Ｘ軸ベクトルとＹ軸ベクトルとＺ軸ベクトルとで表現される情報であり、子要素ＩＤにより識別される構成要素の傾きを示している。
【００３６】
図８に示す構成モデル情報では、親アセンブリ情報（アセンブリＩＤ）「A001」の親部品の配下に、子要素ＩＤ（アセンブリＩＤ）「A002」のアセンブリ「スイッチPCB  ASY」が含まれることが示される。
【００３７】
図９に示す構成モデル情報では、親アセンブリ情報（アセンブリＩＤ）「A002」の親部品の配下に、子要素ＩＤ（部品ＩＤ）「Z002-1」のアセンブリ「SW  PT板」が含まれることが示される。
【００３８】
作業フローデータ１４０ｄは、製品の部品を組み立てる順序を示す情報である。図１０は、作業フローデータのデータ構造の一例を示す図である。図１０に示すように、作業フローデータ１４０ｄは、作業順序と、部品ＩＤ／アセンブリＤＩと、画像ＩＤと、作業指示データとを対応付ける。
【００３９】
作業順序は、作業の順序を示すものである。部品ＩＤ／アセンブリＩＤは、該当する順序において、組立で取り扱う部品またはアセンブリを一意に識別する情報である。画像ＩＤは、該当する順序において、表示する画像を一意に識別する情報である。画像ＩＤに対応する情報は、画像テーブル１４０ｅに格納されている。作業指示データは、該当する作業順序で、画像に表示する作業指示データを示すものである。
【００４０】
なお、管理者端末５０ｂから送信される作業フローデータ１４０ｄには、画像テーブル１４０ｅ、添付ファイルテーブル１４０ｆが添付されているものとする。
【００４１】
画像テーブル１４０ｅは、作業フローデータ１４０ｄの画像ＩＤに対応する画像データを格納するテーブルである。図１１は、画像テーブルのデータ構造の一例を示す図である。図１１に示すように、この画像テーブル１４０ｅは、画像ＩＤと、画像データとを対応付ける。画像ＩＤは、画像を一意に識別する情報である。画像データは、各画像ＩＤに対応する画像データである。たとえば、画像ＩＤ「Ｇ０１〜Ｇ１１」に対応する画像データは、図１に示した画像Ｇ０１〜Ｇ１１に対応する。
【００４２】
画像ＩＤ「Ｇ０１〜Ｇ１１」に対応する画像データは、画像テーブル１４０ｅに予め設定されていてもよいし、後述する生成部１５０ｂにより生成されたものであってもよい。
【００４３】
添付ファイルテーブル１４０ｆは、作業フローデータ１４０ｄの順序に対応付けられた添付ファイルの情報を保持するテーブルである。図１２は、添付ファイルテーブルのデータ構造の一例を示す図である。図１２に示すように、添付ファイルテーブル１４０ｆは、作業順序と、添付フラグと、添付ファイルと、更新日時とを対応付ける。
【００４４】
作業順序は、作業の順序を示すものであり、図１０に示した作業順序に対応する。添付フラグは、該当する作業順序に添付ファイルが存在するか否かを示すものである。添付ファイルが存在する場合には、添付フラグが「オン」となる。添付ファイルが存在しない場合には、添付フラグが「オフ」となる。
【００４５】
添付ファイルは、該当する作業順序に添付された添付ファイルである。添付ファイルは、文書ファイルや、表計算ファイル等に対応する。更新日時は、添付ファイルの更新日時を示すものである。
【００４６】
図４の説明に戻る。制御部１５０は、取得部１５０ａと、生成部１５０ｂと、再生部１５０ｃと、表示制御部１５０ｄとを有する。制御部１５０は、ＣＰＵ（Central  Processing  Unit）やＭＰＵ（Micro  Processing  Unit）などによって実現できる。また、制御部１５０は、ＡＳＩＣ（Application  Specific  Integrated  Circuit）やＦＰＧＡ（Field  Programmable  Gate  Array）などのハードワイヤードロジックによっても実現できる。
【００４７】
取得部１５０ａは、ネットワークを介して、管理者端末５０ｂから、ＣＡＤデータ１４０ａ、作業フローデータ１４０ｄ、画像テーブル１４０ｅ、添付ファイルテーブル１４０ｆを取得する処理部である。取得部１５０ａは、ＣＡＤデータ１４０ａ、作業フローデータ１４０ｄ、画像テーブル１４０ｅ、添付ファイルテーブル１４０ｆを、記憶部１４０に格納する。
【００４８】
また、取得部１５０ａは、ＣＡＤデータ１４０ａをデータ変換することにより、部品データ１４０ｂおよびアセンブリデータ１４０ｃを生成する。取得部１５０ａは、生成した部品データ１４０ｂおよびアセンブリデータ１４０ｃを、記憶部１４０に格納する。なお、取得部１５０ａは、変換済みの部品データ１４０ｂおよびアセンブリデータ１４０ｃを、管理者端末５０ｂ等から取得し、記憶部１４０に格納してもよい。
【００４９】
生成部１５０ｂは、画像テーブル１４０ｅの各画像ＩＤに対応する画像データを生成する処理部である。たとえば、生成部１５０ｂは、作業フローデータ１４０ｄの各順序に対応付けられた部品ＩＤ／アセンブリＩＤに対応する部品（またはアセンブリ）の形状情報を、部品データ１４０ｂ、アセンブリデータ１４０ｃから取得し、取得した部品を所定の仮想視点から撮影した画像データを生成する。
【００５０】
たとえば、生成部１５０ｂは、図１０の作業順序Ｓ１に対応する部品ＩＤ「Ｚ００１」の形状情報を、部品データ１４０ｂから取得し、取得した部品を所定の仮想視点から撮影した画像データを、画像ＩＤ「Ｇ０１」の画像データとして生成する。
【００５１】
生成部１５０ｂは、図１０の作業順序Ｓ２に対応する部品ＩＤ「Ａ００２」の形状情報、配置情報を、アセンブリデータ１４０ｃ、部品データ１４０ｂから取得し、取得した部品（アセンブリ）を、一つ前の順序Ｓ１で取得した部品に組み込んだものを、所定の仮想視点から撮影し、撮影した画像データを、画像ＩＤ「Ｇ０２」の画像データとして生成する。
【００５２】
生成部１５０ｂは、以降の作業順序Ｓ３〜Ｓ１１に対応する画像ＩＤ「Ｇ０３〜Ｇ１１」に対応する画像データも同様にして生成する。生成部１５０ｂは、生成した各画像データを、各画像ＩＤと対応付けて画像テーブル１４０ｅに登録する。なお、ここでは、生成部１５０ｂが、画像テーブル１４０ｅの各画像データを生成する場合について説明したが、取得部１５０ａは、画像データが既に生成された画像テーブル１４０ｅを取得してもよい。
【００５３】
再生部１５０ｃは、作業フローデータ１４０ｄに設定された作業順序に従って、各画像データを順に表示部１３０に出力して表示させる処理部である。再生部１５０ｃは、作業フローデータ１４０ｄに設定された画像ＩＤに対応する画像データを、画像テーブル１４０ｅから取得し、取得した画像データを、表示部１３０に出力する。
【００５４】
再生部１５０ｃは、予め設定された時間毎に、自動で作業順序を進めてもよいし、入力部１２０から入力される組立作業者に指示に応じて、作業順序を進めてもよい。再生部１５０ｃは、現在表示している画像データの作業順序の情報を、表示制御部１５０ｄに出力する。
【００５５】
表示制御部１５０ｄは、現在の作業順序において、添付ファイルが添付されていることを検出すると、添付ファイルが存在することを通知するための表示を行う処理部である。たとえば、表示制御部１５０ｄは、現在の作業順序と、添付ファイルテーブル１４０ｆとを基にして、現在の作業順序に対応する添付フラグが「オン」となっている場合に、現在の作業順序に添付ファイルが付与されていると判定する。
【００５６】
表示制御部１５０ｄは、現在の作業順序に添付ファイルが付与されていると判定すると、現在、表示部１３０に表示されている画像を強調表示する。たとえば、図２で説明したように、表示制御部１５０ｄは、添付ファイルが存在することを示すアイコン１０を表示させる。または、表示制御部１５０ｄは、画像全体を点滅させる強調表示、画像の枠を点滅させる強調表示、アイコン１０を点滅させる強調表示等を行って、添付ファイルの存在を通知してもよい。表示制御部１５０ｄは、アイコン１０の選択を受け付けると、添付ファイルの情報を表示させる。
【００５７】
なお、表示制御部１５０ｄは、添付ファイルが付与されていると判定した際に、添付ファイルの更新日時を基にして、強調表示のレベルを調整する処理を行ってもよい。表示制御部１５０ｄは、タイマ（図示略）から現在日時を取得し、添付ファイルの更新日時と現在日時との時間差を算出する。表示制御部１５０ｄは、更新日時と現在日時との時間差が、第１時間差未満である場合には、赤色の枠により、画像全体を強調表示する。表示制御部１５０ｄは、更新日時と現在日時との時間差が、第１時間差以上、第２時間差未満である場合には、黄色の枠により、画像全体を強調表示する。表示制御部１５０ｄは、更新日時と現在日時との時間差が、第２時間差以上である場合には、緑色の枠により、画像全体を強調表示する。なお、第１時間差と第２時間差の大小関係を第１時間差＜第２時間差とする。これによって、最近更新された添付ファイルほど、添付ファイルの存在を強く組立作業員に通知することができる。たとえば、更新されていない添付ファイルの内容は、各組立作業員に認識されているが、最近更新された添付ファイルの内容は、未確認の組立作業員が多く存在していると予想されるため、重要な添付ファイルであると言える。
【００５８】
表示制御部１５０ｄは、上記の強調表示のレベルの調整の他に、点滅頻度、点滅させる際の輝度値、添付ファイルのアイコンの大きさを、添付ファイルの更新日時と現在日時との時間差に応じて調整してもよい。
【００５９】
また、表示制御部１５０ｄは、添付ファイルが付与されていると判定した際に、組立作業員の特徴を基にして、強調表示のレベルを調整する処理を行ってもよい。表示制御装置１００は、作業フローデータ１４０ｄの再生を行う際に、組立作業員から、組立作業員の識別情報を取得する。表示制御部１５０ｄは、図示しないグループ分けテーブルと、組立作業員の識別情報とを比較して、組立作業員の属するグループを判定する。グループ分けテーブルは、組立作業員の識別情報と、グループとを対応付けるテーブルである。たとえば、組立作業員は、第１〜第３グループのいずれかに分類される。第１グループは一般作業員の属するグループであり、第２グループはマネージャクラスの作業員の属するグループであり、第３グループは、マネージャよりも上のクラスの作業員の属するグループである。これによって、上級の組立作業員と比較して、一般の組立作業員に対して、添付ファイルの存在を強く通知することができる。
【００６０】
表示制御部１５０ｄは、組立作業員が、第１グループに属する場合には、赤色の枠により、画像全体を強調表示する。表示制御部１５０ｄは、組立作業員が、第２グループに属する場合には、黄色の枠により、画像全体を強調表示する。表示制御部１５０ｄは、組立作業員が、第３グループに属する場合には、緑色の枠により、画像全体を強調表示する。
【００６１】
表示制御部１５０ｄは、上記の強調表示のレベルの調整の他に、点滅頻度、点滅させる際の輝度値、添付ファイルのアイコンの大きさを、組立作業員の属するグループに応じて調整してもよい。
【００６２】
また、作業フローデータ１４０ｄには、順序に作業指示の情報（テキスト）が添付される場合がある。表示制御部１５０ｄは、順序に作業指示の情報が添付されている場合には、画像に対応付けて、作業指示の情報を表示させる。図２に示す例では、表示制御部１５０ｄは、作業指示（取り扱い注意）１１を、画像Ｇ０２に表示している。
【００６３】
次に、本実施例に係る表示制御装置１００の処理手順の一例について説明する。図１３は、本実施例に係る表示制御装置の処理手順を示すフローチャートである。図１３に示すように、表示制御装置１００の取得部１５０ａは、ＣＡＤデータ１４０ａおよび作業フローデータ１４０ｄを管理者端末５０ｂから取得する（ステップＳ１０１）。
【００６４】
表示制御装置１００の取得部１５０ａは、ＣＡＤデータを基にして、部品データ１４０ｂおよびアセンブリデータ１４０ｃを生成する（ステップＳ１０２）。表示制御装置１００の生成部１５０ｂは、作業フローデータ１４０ｄの各画像データを生成し、画像テーブル１４０ｅに格納する（ステップＳ１０３）。
【００６５】
表示制御装置１００の再生部１５０ｃは、作業フローデータの順序Ｓ１を選択し、選択した順序Ｓ１の画像データを再生する（ステップＳ１０４）。表示制御装置１００の表示制御部１５０ｄは、添付ファイルテーブル１４０ｆを基にして、選択された順序に、添付ファイルが存在するか否かを判定する（ステップＳ１０５）。
【００６６】
表示制御部１５０ｄは、添付ファイルが存在しない場合には（ステップＳ１０６，Ｎｏ）、ステップＳ１１０に移行する。一方、表示制御部１５０ｄは、添付ファイルが存在する場合には（ステップＳ１０６，Ｙｅｓ）、強調表示のレベルを特定する（ステップＳ１０７）。
【００６７】
表示制御部１５０ｄは、画像の表示に合わせて、画像を強調表示し、添付ファイルのアイコンを表示させる（ステップＳ１０８）。表示制御部１５０ｄは、添付ファイルのアイコンが選択された場合に、添付ファイルの情報を表示する（ステップＳ１０９）。
【００６８】
表示制御装置１００は、作業フローデータ１４０ｄの最後の順序に到達した場合には（ステップＳ１１０，Ｙｅｓ）、処理を終了する。一方、表示制御装置１００は、作業フローデータ１４０ｄの最後の順序に到達していない場合には（ステップＳ１１０，Ｎｏ）、ステップＳ１１１に移行する。再生部１５０ｃは、次の順序を選択し、次の順序の画像を再生し（ステップＳ１１１）、ステップＳ１０５に移行する。
【００６９】
次に、本実施例に係る表示制御装置１００の効果について説明する。表示制御装置１００は、作業フローデータ１４０ｄに設定された順序に従って、各画像データを順に再生していき、ある順序において、添付ファイルが添付されている場合に、添付ファイルが存在することを通知するための表示を行う。これによって、組立作業員は、表示制御装置１００により再生される作業フローデータを参照することで、組立の順序を把握する際に、組立の順序だけではなく、別途確認すべき添付ファイルの存在に気付くことができる。また、添付ファイルは、作業フローデータの順序と対応付けられているため、組立作業員は、組立のどの段階において、添付ファイルの内容に従うのかを、動画視聴中に確認することもできる。
【００７０】
表示制御装置１００は、順序に作業指示の情報が添付されている場合には、画像に対応付けて、作業指示の情報を表示させる。これによって、添付ファイルを用いなくても、簡単な注意事項を組立作業員に通知することができる。
【００７１】
表示制御装置１００は、画像の表示画面を強調表示することで、添付ファイルの存在を通知する。このため、現在確認中の画像において、参考にするべき添付ファイルの存在を、組立作業員に効果的に通知することができる。
【００７２】
ところで、図１０で説明した作業フローデータ１４０ｄのデータ構造は一例である。作業フローデータは、アセンブリの配下の子部品の組立の順序に関する情報を、更に含んでいてもよい。
【００７３】
図１４は、その他の作業フローデータのデータ構造の一例を示す図である。図１４に示すように、この作業フローデータは、作業順序、部品ＩＤ／アセンブリＩＤ、子作業順序、部品ＩＤ、子部品ＩＤ、子画像ＩＤ、画像ＩＤ、作業指示データを有する。
【００７４】
図１４の作業順序、部品ＩＤ／アセンブリＩＤ、画像ＩＤ、作業指示データに関する説明は、図１０で説明した作業順序、部品ＩＤ／アセンブリＩＤ、画像ＩＤ、作業指示データに関する説明と同様である。
【００７５】
子作業順序は、アセンブリの配下の各子部品の組立順序を示すものである。子部品ＩＤは、子部品（部品）を一意に識別する情報である。子画像ＩＤは、該当する子順序において、表示する画像を一意に識別する情報である。
【００７６】
たとえば、再生部１５０ｃは、作業フローデータ１４１ｄに格納された各作業順序に従って、画像の再生を行う一方で、各子作業順序に従って、子部品の組立順序に関する子部品の画像を再生してもよい。また、管理者は、各子作業順序に対応づけて、添付ファイルを設定してもよい。表示制御部１５０ｄは、子作業順序について、添付ファイルが添付されていることを検出すると、添付ファイルが存在することを通知するための表示を行う。
【００７７】
なお、本実施例では一例として、画像テーブル１４０ｅに画像ＩＤに対応する画像データを格納していたが、これに限定されるものではなく、画像ＩＤに対応付けて、動画データを格納し、各作業手順において、動画データの再生を行ってもよい。
【００７８】
次に、上記実施例に示した表示制御装置１００と同様の機能を実現するコンピュータのハードウェア構成の一例について説明する。図１５は、情報処理装置と同様の機能を実現するコンピュータのハードウェア構成の一例を示す図である。
【００７９】
図１５に示すように、コンピュータ２００は、各種演算処理を実行するＣＰＵ２０１と、ユーザからのデータの入力を受け付ける入力装置２０２と、ディスプレイ２０３とを有する。また、コンピュータ２００は、記憶媒体からプログラム等を読み取る読み取り装置２０４と、有線または無線ネットワークを介して、外部装置との間でデータの授受を行うインタフェース装置２０５とを有する。コンピュータ２００は、各種情報を一時記憶するＲＡＭ２０６と、ハードディスク装置２０７とを有する。そして、各装置２０１〜２０７は、バス２０８に接続される。
【００８０】
ハードディスク装置２０７は、取得プログラム２０７ａ、生成プログラム２０７ｂ、再生プログラム２０７ｃ、表示制御プログラム２０７ｄを有する。ＣＰＵ２０１は、取得プログラム２０７ａ、生成プログラム２０７ｂ、再生プログラム２０７ｃ、表示制御プログラム２０７ｄを読み出してＲＡＭ２０６に展開する。
【００８１】
取得プログラム２０７ａは、取得プロセス２０６ａとして機能する。生成プログラム２０７ｂは、生成プロセス２０６ｂとして機能する。再生プログラム２０７ｃは、再生プロセス２０６ｃとして機能する。表示制御プログラム２０７ｄは、再生制御プロセス２０６ｄとして機能する。
【００８２】
取得プロセス２０６ａの処理は、取得部１５０ａの処理に対応する。生成プロセス２０６ｂの処理は、生成部１５０ｂの処理に対応する。再生プロセス２０６ｃの処理は、再生部１５０ｃの処理に対応する。表示制御プロセス２０６ｄの処理は、表示制御部１５０ｄの処理に対応する。
【００８３】
なお、各プログラム２０７ａ〜２０７ｄについては、必ずしも最初からハードディスク装置２０７に記憶させておかなくてもよい。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００が各プログラム２０７ａ〜２０７ｄを読み出して実行するようにしてもよい。
【００８４】
以上の各実施例を含む実施形態に関し、さらに以下の付記を開示する。
【００８５】
（付記１）複数の画像を指定された順序で表示することで、製品の組み立てに関わる、複数の手順の流れを示す動画を再生し、
複数の画像のうちのある画像に対応する手順について、添付ファイルが対応付けられている場合には、ある画像の表示中に、添付ファイルが存在することを通知するための表示を行う
処理をコンピュータに実行させることを特徴とする表示プログラム。
【００８６】
（付記２）前記画像は、製品を構成する各部品に対応付けられ、前記再生する処理は、製品の組立の順序に応じて、各部品に対応付けられた複数の画像を順に再生することを特徴とする付記１に記載の表示プログラム。
【００８７】
（付記３）前記製品を構成する各部品には、組立に関わる作業指示の情報が付与され、前記再生する処理は、前記画像を再生する場合に、前記作業指示を合わせて表示することを特徴とする付記１または２に記載の表示プログラム。
【００８８】
（付記４）前記表示を行う処理は、画像の表示画面を強調表示することで、前記添付ファイルの存在を通知することを特徴とする付記１、２または３に記載の表示プログラム。
【００８９】
（付記５）前記添付ファイルは更新日時の情報を有し、前記表示を行う処理は、前記更新日時と現在日時とを基にして、前記強調表示のレベルを調整することを特徴とする付記４に記載の表示プログラム。
【００９０】
（付記６）前記表示を行う処理は、前記製品の組み立てを行うユーザの特徴を基にして、前記強調表示のレベルを調整することを特徴とする付記４に記載の表示プログラム。
【００９１】
（付記７）前記製品を構成する部品は、配下の複数の子部品に対応付けられ、前記再生する処理は、組立順序に応じて、各子部品に対応付けられた複数の画像を順に再生することを特徴とする付記２〜６のいずれか一つに記載の表示プログラム。
【００９２】
（付記８）コンピュータが実行する表示方法であって、
複数の画像を指定された順序で表示することで、製品の組み立てに関わる、複数の手順の流れを示す動画を再生し、
複数の画像のうちのある画像に対応する手順について、添付ファイルが対応付けられている場合には、ある画像の表示中に、添付ファイルが存在することを通知するための表示を行う
処理をコンピュータに実行させることを特徴とする表示方法。
【００９３】
（付記９）前記画像は、製品を構成する各部品に対応付けられ、前記再生する処理は、製品の組立の順序に応じて、各部品に対応付けられた複数の画像を順に再生することを特徴とする付記８に記載の表示方法。
【００９４】
（付記１０）前記製品を構成する各部品には、組立に関わる作業指示の情報が付与され、前記再生する処理は、前記画像を再生する場合に、前記作業指示を合わせて表示することを特徴とする付記８または９に記載の表示方法。
【００９５】
（付記１１）前記表示を行う処理は、画像の表示画面を強調表示することで、前記添付ファイルの存在を通知することを特徴とする付記８、９または１０に記載の表示方法。
【００９６】
（付記１２）前記添付ファイルは更新日時の情報を有し、前記表示を行う処理は、前記更新日時と現在日時とを基にして、前記強調表示のレベルを調整することを特徴とする付記１１に記載の表示方法。
【００９７】
（付記１３）前記表示を行う処理は、前記製品の組み立てを行うユーザの特徴を基にして、前記強調表示のレベルを調整することを特徴とする付記１１に記載の表示方法。
【００９８】
（付記１４）前記製品を構成する部品は、配下の複数の子部品に対応付けられ、前記再生する処理は、組立順序に応じて、各子部品に対応付けられた複数の画像を順に再生することを特徴とする付記９〜１３のいずれか一つに記載の表示方法。
【００９９】
（付記１５）複数の画像を指定された順序で表示することで、製品の組み立てに関わる、複数の手順の流れを示す動画を生成する再生部と、
複数の画像のうちのある画像に対応する手順について、添付ファイルが対応付けられている場合には、ある画像の表示中に、添付ファイルが存在することを通知するための表示を行う表示制御部と
を有することを特徴とする表示制御装置。
【０１００】
（付記１６）前記画像は、製品を構成する各部品に対応付けられ、前記再生部は、製品の組立の順序に応じて、各部品に対応付けられた複数の画像を順に再生することを特徴とする付記１５に記載の表示制御装置。
【０１０１】
（付記１７）前記製品を構成する各部品には、組立に関わる作業指示の情報が付与され、前記再生部は、前記画像を再生する場合に、前記作業指示を合わせて表示することを特徴とする付記１５または１６に記載の表示制御装置。
【０１０２】
（付記１８）前記表示制御部は、画像の表示画面を強調表示することで、前記添付ファイルの存在を通知することを特徴とする付記１５、１６または１７に記載の表示制御装置。
【０１０３】
（付記１９）前記添付ファイルは更新日時の情報を有し、前記表示制御部は、前記更新日時と現在日時とを基にして、前記強調表示のレベルを調整することを特徴とする付記１８に記載の表示制御装置。
【０１０４】
（付記２０）前記表示制御部は、前記製品の組み立てを行うユーザの特徴を基にして、前記強調表示のレベルを調整することを特徴とする付記１８に記載の表示制御装置。
【０１０５】
（付記２１）前記製品を構成する部品は、配下の複数の子部品に対応付けられ、前記再生する処理は、組立順序に応じて、各子部品に対応付けられた複数の画像を順に再生することを特徴とする付記１６〜２０のいずれか一つに記載の表示制御装置。
【符号の説明】
【０１０６】
５０ａ  ＣＡＤ装置
５０ｂ  管理者端末
１００    表示制御装置
１１０    通信部
１２０    入力部
１３０    表示部
１４０    記憶部
１４０ａ  ＣＡＤデータ
１４０ｂ  部品データ
１４０ｃ  アセンブリデータ
１４０ｄ  作業フローデータ
１４０ｅ  画像テーブル
１４０ｆ  添付ファイルテーブル
１５０    制御部
１５０ａ  取得部
１５０ｂ  生成部
１５０ｃ  再生部
１５０ｄ  表示制御部
【図１】
2019204398.tif 000003
【図２】
2019204398.tif 000004
【図３】
2019204398.tif 000005
【図４】
2019204398.tif 000006
【図５】
2019204398.tif 000007
【図６】
2019204398.tif 000008
【図７】
2019204398.tif 000009
【図８】
2019204398.tif 000010
【図９】
2019204398.tif 000011
【図１０】
2019204398.tif 000012
【図１１】
2019204398.tif 000013
【図１２】
2019204398.tif 000014
【図１３】
2019204398.tif 000015
【図１４】
2019204398.tif 000016
【図１５】
2019204398.tif 000017